(57)【要約】【課題】軒樋を安定に且つ高い支持強度にて保持でき、上下何れから突発的な応力が加えられても軒樋やカバー材の破損等を防止できる軒先構造、及びその施工法を提供する。【解決手段】  本発明は、建築物の躯体５Ａに固定した樋受け金具４に、建築物側の側面１３が取り付けられる軒樋１と、前記軒樋１の内部に配設されると共に、基端が前記軒樋１の建築物側の側面１２に沿い、他端が軒先側へ延在する支持材２と、前記軒樋１の開放上面を覆うカバー材３と、からなる軒先構造であって、前記カバー材３の上端３３は、建築物の外装下地５Ｂに固定され、その下端３２は、前記軒樋１の軒先端に設けた係合部１４に連絡されていることを特徴とする。【選択図】図１
2020084757.tif 000002
【特許請求の範囲】
【請求項１】
建築物の躯体に固定した樋受け金具に、建築物側の側面が取り付けられる軒樋と、
前記軒樋の内部に配設されると共に、基端が前記軒樋の建築物側の側面に沿い、他端が軒先側へ延在する支持材と、
前記軒樋の開放上面を覆うカバー材と、からなる軒先構造であって、
前記カバー材の上端は、建築物の外装下地に固定され、その下端は、前記軒樋の軒先端に設けた係合部に連絡されていることを特徴とする軒先構造。
【請求項２】
軒樋の係合部は、支持材の軒先端に係合され、更に前記カバー材の下端と連絡されていることを特徴とする請求項１に記載の軒先構造。
【請求項３】
支持材は、カバー材裏面に当接する支持面部を備えていることを特徴とする請求項１又は２に記載の軒先構造。
【請求項４】
請求項１〜３の何れか一項に記載の軒先構造を施工する方法であって、
建築物の躯体に樋受け金具を固定する第１の工程と、
前記樋受け金具に、軒樋の建築物側の側面を取り付ける第２の工程と、
前記軒樋の内部に支持材を配設すると共に、その基端を前記軒樋の建築物側の側面に沿わせて固定し、他端を軒先側へ延在させる第３の工程と、
前記軒樋の開放上面を覆うようにカバー材を臨ませ、その上端を、建築物の外装下地に固定すると共に、その下端を、前記軒樋の軒先端に設けた係合部に連絡させる第４の工程と、からなることを特徴とする軒先構造の施工法。
【発明の詳細な説明】
【技術分野】
【０００１】
本発明は、軒樋を安定に且つ高い支持強度にて保持でき、上下何れから突発的な応力が加えられても軒樋やカバー材の破損等を防止できる軒先構造、及びその施工法に関する。
【背景技術】
【０００２】
従来、屋根の樋としては、軒先に設ける軒樋が一般的に広く知られている。
この軒樋を固定する構造（機構）としては、例えば特許文献１〜３等に示されるものが広く知られている。
特許文献１には、軒樋と軒先前面との間隔をその下方において閉塞するカバー材を取り付け、該カバー材に設けた支持片（係止部）にて軒樋の一方の側面の上端（耳部）を係止する構造が記載されている。
特許文献２には、建物の外壁に固定する軒樋支持装置６に対し、多孔体５を含む上側部材３を上面側に、軒体本体１である下側部材４を吊り保持する構造が記載されている。
特許文献３には、外壁等に固定する軒樋カバー固定具１の基端側に軒樋Ｎの軒先側の側面の上端を吊り保持し、軒樋Ｎの他方側の側面の上端を上方からくわえ込むように固定する構造が記載されている。
【先行技術文献】
【特許文献】
【０００３】
【特許文献１】実開平５−３８１５３号公報
【特許文献２】特開２０００−２９１２１３号公報
【特許文献３】特許第５２３４２７８号公報
【発明の概要】
【発明が解決しようとする課題】
【０００４】
しかしながら、前記特許文献１の構造では、軒樋自身の重量や雨水等による荷重も取付部である耳部に集中するため、軒先としての意匠性が乏しく、雨水を受けるためだけの機能のみを採用したものであり、見栄えが悪く、意匠性に乏しいものであった。
また、前記特許文献２の構造では、軒樋支持装置６に軒樋本体１等の下側部材４を吊り保持するので、この軒樋支持装置６の固定部分に、軒樋本体１の自重や全ての荷重が集中するため、片持ち状となって、降雪時等に破損する恐れのあるものであった。
さらに、前記特許文献３の構造でも、軒樋カバー固定具１の固定部４に、軒樋Ｎの自重や全ての荷重が集中するため、片持ち状となって、降雪時等に破損する恐れのあるものであった。
【０００５】
そこで、本発明は、軒樋を安定に且つ高い支持強度にて保持でき、上下何れから突発的な応力が加えられても軒樋やカバー材の破損等を防止できる軒先構造、及びその施工法を提案することを目的とする。
【課題を解決するための手段】
【０００６】
本発明は、上記に鑑み提案されたものであって、建築物の躯体に固定した樋受け金具に、建築物側の側面が取り付けられる軒樋と、前記軒樋の内部に配設されると共に、基端が前記軒樋の建築物側の側面に沿い、他端が軒先側へ延在する支持材と、前記軒樋の開放上面を覆うカバー材と、からなる軒先構造であって、前記カバー材の上端は、建築物の外装下地に固定され、その下端は、前記軒樋の軒先端に設けた係合部に連絡されていることを特徴とする軒先構造を提案するものである。
【０００７】
また、本発明は、前記軒先構造において、軒樋の係合部は、支持材の軒先端に係合され、更に前記カバー材の下端と連絡されていることを特徴とする軒先構造をも提案する。
【０００８】
また、本発明は、前記軒先構造において、支持材は、カバー材裏面に当接する支持面部を備えていることを特徴とする軒先構造をも提案する。
【０００９】
さらに、本発明は、前記軒先構造を施工する方法であって、建築物の躯体に樋受け金具を固定する第１の工程と、前記樋受け金具に、軒樋の建築物側の側面を取り付ける第２の工程と、前記軒樋の内部に支持材を配設すると共に、その基端を前記軒樋の建築物側の側面に沿わせて固定し、他端を軒先側へ延在させる第３の工程と、前記軒樋の開放上面を覆うようにカバー材を臨ませ、その上端を、建築物の外装下地に固定すると共に、その下端を、前記軒樋の軒先端に設けた係合部に連絡させる第４の工程と、からなることを特徴とする軒先構造の施工法をも提案するものである。
【発明の効果】
【００１０】
本発明の軒先構造は、軒樋の建築物側の側面を、建築物の躯体に固定した樋受け金具に取り付け、軒先端に設けた係合部を、建築物の外装下地に固定したカバー材にて引っ張るように保持している構造であって、軒樋の左右端を安定に保持できる。さらに、軒樋の内部に支持材が配設されているので、下面側から突発的な応力が加えられても、この支持材の補強作用で軒樋の破損等を防止することができる。
【００１１】
また、軒樋の係合部が、支持材の軒先端に係合され、更に前記カバー材の下端と連絡されている場合、カバー材は軒樋ばかりでなく支持材をも引っ張るように保持するので、支持強度は更に高くなる。また、軒樋と支持材との一体性が向上するので、カバー材を含めた三部材の一体性も向上する。
【００１２】
また、支持材は、カバー材裏面に当接する支持面部を備えている場合、上方からの荷重に対して強固となり、カバー材の変形を防ぎ、安定に支持することができる。
【００１３】
更に、前記軒先構造の施工法は、第１〜第４の何れの工程も、特殊な治具や装置等を用いることもなく容易に実施でき、前述のように有用な軒先構造を施工できる。
【図面の簡単な説明】
【００１４】
【図１】（ａ）本発明の第１実施例の軒先構造を示す側面図、（ｂ）それに用いた軒樋及びカバー材を示す側面図、（ｃ）用いた支持材及び樋受け金具を示す側面図である。
【図２】（ａ）本発明の第２実施例の軒先構造を示す側面図、（ｂ）それに用いた軒樋、カバー材、及び水切兼補助材を示す側面図、（ｃ）水切の別の態様を示す側面図である。
【図３】（ａ）第２実施例におけるカバー材を配設する以前の状態を示す斜視図、（ｂ）それに用いた支持材を示す斜視図である。
【図４】（ａ）第２実施例の軒先構造の施工法の一場面を示し、第２の工程の一態様を示す側面図、（ｂ）第３の工程を示す側面図、（ｃ）第４の工程を示す側面図である。
【図５】（ａ）第３実施例の軒先構造を示す側面図、（ｂ）それに用いた支持材を示す側面図である。
【発明を実施するための形態】
【００１５】
本発明の軒先構造は、建築物の躯体に固定した樋受け金具に、建築物側の側面が取り付けられる軒樋と、前記軒樋の内部に配設されると共に、基端が前記軒樋の建築物側の側面に沿い、他端が軒先側へ延在する支持材と、前記軒樋の開放上面を覆うカバー材と、からなり、前記カバー材の上端は、建築物の外装下地に固定され、その下端は、前記軒樋の軒先端に設けた係合部に連絡されていることを特徴とする。
【００１６】
本発明の軒先構造は、該軒先構造の表裏の化粧面を形成する軒樋やカバー材の内部又は裏面側に、支持材や樋受け金具を用いたものであり、軒樋やカバー材としては、専ら通し材を用いるが、複数の組み合わせであってもよく、各種の金属板材や硬質樹脂成形板等が用いられる。一方、支持材や樋受け金具としては、専ら短幅材を所定間隔で複数用いるが、それぞれ支持強度を求められるので、その耐久強度を備える金属金具や厚肉の樹脂成形品等が用いられる。特に支持材については、後述する図示実施例に示すように金属板材をＬ字（アングル）状に折り曲げ加工した成形品でもよい。
【００１７】
前記軒樋は、雨水等を排水する内部空間（排水部）を有するものであり、底面と二つの側面とからなる断面略Ｕ字状に形成され、建築物側の側面が、建築物の躯体に固定した樋受け金具に取り付けられ、軒先側には、係合部が設けられる構成である。
この軒樋の排水部は、前述のように内部空間全体を指すが、通常程度の降雨であれば、底面近傍のみを雨水等が流れるようにし、その上方に支持材が配設されるようにすることが望ましい。底部近傍の上方に支持材が配置されることにより、支持材が常に雨水に浸っている状態を回避でき、特に金属板材等の成形品である場合等における腐食等を極力避けることができる。
【００１８】
また、前記軒樋の係合部は、後述する図示実施例では、上方へ折り返して形成されたものであるが、カバー材の下端に連絡（接続）されるものであればその具体的形状を限定するものではない。この係合部が、カバー材の下端に連絡（接続）されるので、軒樋の軒先端をカバー材で引っ張るように保持する構造となる。
この係合部が、後述する図示実施例のように支持材の軒先端に係合される場合には、カバー材は軒樋ばかりでなく支持材をも引っ張るように保持するので、支持強度は更に高くなる。
【００１９】
前記カバー材は、前記軒樋の開放上面を覆う部材であって、軒樋の内部に降雪が堆積したり、落ち葉等が侵入、堆積することを防止する部材であり、特にその材質（材料）を限定するものではなく、前述のように通し材でもよいし複数の組み合わせでもよい。なお、このカバー材は、軒樋の開放上面の全面を覆うものでも一部のみを覆うものでもよい。
このカバー材の表面には、雨水を内部へ導く導水口、例えば小径のスリット孔が形成され、該導水口の存在により、降雪の堆積や落ち葉等の浸入の防止も果たされる。
このカバー材としては、経年の使用により脱離や飛散しないものであれば、金属メッシュ材（金網状材）でもよい。この金属メッシュ材の開口寸法については、前記導水口と同様に広過ぎると落ち葉等の侵入が生じるため、その侵入を防止して雨水を導水できるものであればよい。
なお、脱離や飛散を防止する部位を、このカバー材に形成してもよいし、前記軒樋又は支持材に設けていてもよい。
【００２０】
前記支持材は、基端が前記軒樋の建築物側の側面に沿い、他端が軒先側へ延在する部材であって、前記軒樋の内部、望ましくは常時排水部の上方に配設されるものである。
この支持材は、その下方に軒樋が配設されるので、軒樋の下方から突発的な応力が加えられた際に、この支持材で軒樋の破損等を防止することができる。即ちこの支持材は、軒樋の補強材としても作用するものである。
【００２１】
この支持材の軒先端には、後述する図示実施例のように前記軒樋に形成される係合部が係合する場合がある。この場合には、前記カバー材は軒樋ばかりでなく支持材をも引っ張るように保持する。また、軒樋と支持材との一体性も向上する。
また、この支持材には、カバー材裏面に当接する支持面部を備えるようにしてもよい。なお、当接については、予め当接するものでも、カバー材に荷重が作用した際に当接するものでもよい。また、この支持面部は、後述する図示実施例（第２実施例）に示すように軒先側のみに設けてもよいし、或いは第３実施例のように複数箇所に設け、カバー材の導水口を除くほぼ全域に設けるようにしてもよい。
【００２２】
前記樋受け金具は、建築物の躯体に固定される固定部と、前記軒樋の建築物側の側面が取り付けられる取付部とを備える。
これらの固定部や取付部については、特に形状等を限定するものではないし、それぞれ複数設けてもよい。
後述する図示実施例では、縦片に固定具を打ち込む部分を固定部とし、軒樋の建築物側の側面の下端を載置状に受けるＬ字状部分を下方取付部とし、側面の上端を差し込むように保持する折り返し部分を上方取付部としたが、特にこれらに限定するものでもない。
【００２３】
これらの部材から構成される軒先構造を施工する方法は、以下の通りである。
まず、第１の工程として、建築物の躯体に樋受け金具を固定する。
次に、第２の工程として、前記樋受け金具に、軒樋の建築物側の側面を取り付ける。
そして、第３の工程として、前記軒樋の内部に支持材を配設すると共に、その基端を前記軒樋の建築物側の側面に沿わせて固定し、他端を軒先側へ延在させる。
最後に第４の工程として、前記軒樋の開放上面を覆うようにカバー材を臨ませ、その上端を、建築物の外装下地に固定すると共に、その下端を、前記軒樋の軒先端に設けた係合部に連絡させる。
【００２４】
以上説明した本発明の軒先構造は、軒樋の建築物側の側面を、建築物の躯体に固定した樋受け金具に取り付け、軒先端に設けた係合部を、建築物の外装下地に固定したカバー材にて引っ張るように保持している構造であって、軒樋の左右端を安定に保持できる。さらに、軒樋の内部に支持材が配設されているので、下面側から軒樋を通じて突発的な応力が加えられても、この支持材の補強作用で軒樋の破損等を防止することができる。
【００２５】
さらに、軒樋の係合部が、支持材の軒先端に係合され、更に前記カバー材の下端と連絡されている場合には、カバー材は軒樋ばかりでなく支持材をも引っ張るように保持するので、支持強度は更に高くなる。また、軒樋と支持材との一体性が向上するので、カバー材を含めた三部材の一体性も向上する。
【実施例１】
【００２６】
図１（ａ）に示す本発明の第１実施例の軒先構造は、建築物の躯体５Ａに固定した樋受け金具４に、建築物側の側面１３が取り付けられる軒樋１と、軒樋１の内部に配設されると共に、基端が軒樋１の建築物側の側面１３に沿い、他端が軒先側へ延在する支持材２と、軒樋１の開放上面を覆うカバー材３と、からなる。
【００２７】
前記軒樋１は、雨水等を排水する内部空間（排水部）を有する通し材であり、底面１１と二つの側面１２，１３とからなる断面略Ｕ字状に形成され、建築物側の側面１３が、建築物の躯体に固定した樋受け金具４に取り付けられ、軒先側には、表面側へ折り返し状の係合部１４が設けられる構成である。
第１実施例における軒樋１の排水部（内部空間）は、図１（ｂ）に示すように略水平状の底面１１の軒先側（図面では左側）に、傾斜面１２１と水平面１２２とで構成される段状の側面１２が形成され、前記底面１１の建築物側（図面では右側）には、略垂直状に起立する側面１３が形成され、これらの底面１１及び側面１２，１３にて断面略Ｕ字状の雨水等の排水路が形成されている。側面１２を段状に形成したことで、最底部に常時排水部１０が形成され、通常程度の降雨であれば、該常時排水部１０を雨水等が流れるようにした。
【００２８】
前記軒樋１の係合部１４は、傾斜状面と水平状面とが緩く（弧状に）連結された形状であって、前記側面１２の水平面１２２の軒先端から延在しており、前記カバー材３の下端、即ち軒先端３２と連絡（接続）されるものである。当該第１実施例では、係合部１４の外側に軒先端３２が係合する状態（態様）で接続される。
なお、この軒樋１の係合部１４とカバー材３の軒先端３２との間には、図示しない止水材を（連続状に）介在させてもよい。
この止水材としては、接着性を有するテープ等が好ましく、軒樋１とカバー材３を止水性を持たせて接続することで、軒樋１の深さを大きくでき、大量の降雨時等にあってもオーバーフローしにくい軒樋となる。
【００２９】
前記軒樋１を取り付ける樋受け金具４は、建築物の躯体５Ａに固定される固定部４１と、前記軒樋１の建築物側の側面１３が取り付けられる取付部４２，４４とを備える。
第１実施例における樋受け金具４は、図１（ｃ）に示すように縦片の上端に内側に折り返された傾斜片４３が形成され、縦片の下端が軒先側へ略水平状に延在する略Ｌ字状の折り曲げ成形体であって、縦片に固定具４ｂを打ち込む部分を固定部４１とし、軒樋１の建築物側の側面１３の下端を載置状に受けるＬ字状部分を下方取付部４２とし、側面１３の上端を差し込むように保持する折り返し部分を上方取付部４４とした。
【００３０】
前記カバー材３は、前記軒樋１の開放上面を覆う部材であって、軒樋１の内部に降雪が堆積したり、落ち葉等が侵入、堆積したり、鳥類等が巣作りすることを防止する部材であり、通し材でも複数の組み合わせでもよい。
第１実施例におけるカバー材３は、図１（ｂ）に示すようにその表面（化粧面３１）には雨水を内部へ導く導水口３１１として複数の小径のスリット孔が形成され、その下端である軒先端３２が形成され、その上端付近に軒先唐草５に固定される上端部３３が形成されている。
前記軒先端３２は、化粧面３１の下端を緩く下面側へ折り返して前記軒樋１の係合部１４の上面側に係合するヘアピン状に形成され、その下端には下方へ傾斜する下向き片３２１が延設され、雨水の廻り込みを防止している。
前記上端部３３は、化粧面３１の上端付近に位置する部位であって、当該第１実施例では、建築物に固定される軒先唐草５Ｄに連絡されて取り付けられている。
【００３１】
前記支持材２は、基端が前記軒樋１の建築物側の側面１３に沿い、他端が軒先側へ延在するものであり、前記軒樋１の内部空間、前記常時排水部１０の上方に配設される部材である。
第１実施例における支持材２は、図１（ｃ）に示すように略水平状の横長面部２１と略垂直状の縦面部２２と、前記横長面部２１と前記縦面部２２との間に形成される介在面部２３とからなるアングル状であって、各面はそれぞれ他の二面と略垂直状に形成されている。
前記横長面部２１は、前記軒樋１の内部空間に配設した際に、水平面１２２上に位置する部分である。
前記縦面部２２は、該支持部２の基端に形成され、前記軒樋１の建築物側の側面１３に沿わせ、固定具２ｂにて建築物の躯体５Ａに固定される固定部分である。
また、前記介在面部２３の軒側上端は、傾斜状に形成され、前記横長面部２１の軒先側と共に前記軒樋１の係合部１４が係合される被係合部２４を形成している。
【００３２】
既に説明したように前記軒樋１の係合部１４の上面側には、前記カバー材３の軒先端３２が係合するので、最も内側にこの支持材２の被係合部２４が位置し、その外側に向かって、軒樋の係合部１４、最後にカバー材３の軒先端３２の順で係合することとなり、三部材は安定に一体化するものとなる。
【００３３】
また、前記軒樋１の水平面１２２上に、前記支持材２の横長面部２１を配設するので、常時排水部１０の上方に支持材２が配置されることにより、支持材２が常に雨水に浸っている状態を回避でき、特に金属板材等の成形品である場合等における腐食等を極力避けることができる。
【００３４】
前述の軒樋１、樋受け金具４、カバー材３、支持材２以外の構成を以下に簡単に説明する。
図中の５Ａは鼻隠し壁面、５Ｂは軒棟方向に敷設された外装下地（＝断熱材及び軽量鋼材）、５Ｃはその裏面に敷設された木毛セメント板、５Ｅは天井材であって、６Ａは外装材、６ｃは外装材を保持する吊子、６ｆは外装材の裏面側に配設された断熱材である。
そして、横葺き外装材である外装材６Ａは、略平坦状の面板部６１の軒側、棟側に設けられて相互に係合する軒側成形部６２、棟側成形部６３を備え、外装下地５Ｂに固定された吊子６ｃ等にて取り付けられ（敷設され）ている。
また、前記軒先唐草５Ｄは、外装下地（５Ｂ）の軒先部分に嵌合状に取り付けられ、軒先側へ延在して外装材６Ａの軒先端を係合させる被係合部と、該被係合部よりも更に軒先側へ突出して前記カバー材３を固定する被固定部と、を備える。
【００３５】
このような構成を備える本発明の軒先構造は、軒樋１の建築物側の側面１３を、建築物の躯体５Ａに固定した樋受け金具４に取り付け、軒先端に設けた係合部１４を、建築物の外装下地５Ｂに固定したカバー材３にて抱持状に（引っ張るように）保持している構造であって、軒樋１の左右端を安定に保持できる。
さらに、軒樋１の内部に支持材２が配設されているので、下面側から軒樋１を通じて突発的な応力が加えられても、この支持材２の補強作用で軒樋１の破損等を防止することができる。
【００３６】
しかも、この第１実施例では、軒樋１の係合部１４が、支持材２の軒先端（被係合部２４）に係合され、更に前記カバー材３の軒先端３２と係合しているので、カバー材３は軒樋１ばかりでなく支持材２をも引っ張るように保持するため、この支持材２も外装下地５Ｂに固定したカバー材３にて抱持状に（引っ張るように）保持され、支持強度は更に高くなる。また、軒樋１と支持材２との一体性が向上するので、カバー材３を含めた三部材の一体性も向上する。
【００３７】
図２（ａ）に示す本発明の第２実施例の軒先構造は、カバー材３'と軒樋１'との連結態様が、前記第１実施例とは異なるものであり、カバー材３'の軒先端３２'を、裏面側へ折り返し状に形成すると共に、軒樋１'の係合部１４'を、表面側へ折り返し、更に上方へ延在させた先端を表面側へ折り返し状に形成することにより、それぞれの折り返し片を係合させて接続している。
なお、図２では、その接続部分に補助材７を介在させて強化する態様を示し、後述する施工手順を示す図４では、該補助材７を省略した。
【００３８】
この第２実施例における軒樋１'は、図２（ｂ）に示すように前述のように係合部１４'が異なる以外は、前記第１実施例と全く同様であるから、図面に同一符号を付して説明を省略する。
また、カバー材３'についても、図２（ｂ）に示すように前述のように軒先端３２'が異なる以外は、前記第１実施例と全く同様であるから、図面に同一符号を付して説明を省略する。
この第２実施例における支持材２'は、図３（ｂ）に示すように横長面部２１と縦面部２２と介在面部２３'とからなるアングル状である点では同様であるが、介在面部２３'の上端から側方へ延在する支持面部２５が形成された構成である。
【００３９】
図４に基づいて、この第２実施例の軒先構造を施工する方法について説明する。
まず、第１の工程は、建築物の躯体５Ａに樋受け金具４を固定するが、具体的には、樋受け金具４の縦片を躯体５Ａに沿わせ、固定部４１にビス４ｂを打ち込んで固定する。
次に、第２の工程として、図４（ａ）に矢印にて示すように軒樋１の建築物側の側面１３を前記樋受け金具４に取り付ける。即ち図示するように傾斜状に臨ませた軒樋１'の側面１３の上端を、樋受け金具４の上方取付部４４に差し込むように保持させると共に、側面１３の下端を、樋受け金具４の下方取付部４２に載置状に取り付ける。
【００４０】
続いて、第３の工程として、図４（ｂ）に示すように前記軒樋１'の内部に支持材２'を配設すると共に、その基端を前記軒樋１'の建築物側の側面１３に沿わせて固定し、他端を軒先側へ延在させる。具体的には、支持材２'の縦面部２２を側面１３（躯体５Ａ）にビス２ｂを打ち込んで固定する。即ち同図に矢印にて示すように支持材２'を略水平状に臨ませ、その横長面部２１が軒樋１'の水平面１２２に当接するように臨ませ、建築物側へスライド状に移動させることで、前述のように縦面部２２を軒樋１'の側面１３に沿わせることができる。
この第２実施例では、前記支持面部２５と横長面部２１とで軒樋１'の係合部１４'が係合する被係合部２４'が形成されるため、この被係合部２４，２４'の構成は異なるものの、前記第１実施例と全く同様の効果が果たされる。
なお、このように支持材２'を配設した状態は、図３（ａ）にも示しており、複数の樋受け金具４にて取り付けられた通り材である軒樋１'に、所定間隔にて短幅状の支持材２'を取り付ける状態が示されている。
【００４１】
その後、第４の工程として、図４（ｃ）に示すように前記軒樋１'の開放上面を覆うようにカバー材３'を臨ませ、その上端部３３を、建築物の外装下地５Ｂに固定した軒先唐草５Ｄに沿わせると共に、その軒先端３２'を、前記軒樋１'の軒先端に設けた係合部１４'と係合して接続する。同図には示していないが、図２（ａ）に示すようにカバー材３'の上端部３３は、軒先唐草５Ｄにビス３ｂにて固定される。
なお、カバー材３'の軒先端３２'と軒樋１'の係合部１４'との裏面側には、支持材２'の支持面部２５が位置しているので、表面側から図示しないビス等を打ち込んで強固に固定するようにしてもよい。
【００４２】
この図４の施工法は、第２実施例の軒先構造に関するものであるが、前記第１実施例の軒先構造についても全く同様に施工することができる。
【００４３】
なお、前記図２（ａ），（ｂ）のみに示した補助材７について以下に説明する。
この補助材７は、傾斜状の上面部７１と水平状の下面部７２とが緩く（弧状に）連結された形状であって、上面部７１の上端には、軒樋１'の係合部１４'とカバー材３'の軒先端３２'との連絡（接続）部分に介在させた保持部７１１が形成され、下面部７２の下端には、略垂直状に垂下する水切部７２１が形成された水切を兼ねる部材である。
そのため、軒樋１'の係合部１４'とカバー材３'の軒先端３２'とが強固に連絡（接続）されるため、前記補助材７は、連結部分の補強材として作用する。
また、水切部７２１が形成されているため、カバー材２'を伝う雨水が裏面側へ廻り込み、更に建築物側（図では右方）へ伝おうとしても水切部７２１にて確実に落下してそれ以上の伝わりを防止できる。
【００４４】
それに対し、図２（ｃ）は、前記水切の別の態様を示すものであり、この態様では軒樋１~とカバー材３~との接続に他部材（前記補助材７）を用いない態様である。
この態様における軒樋１~の係合部１４~は、深い下向きの傾斜状面と浅い下向きの傾斜状面１４１とが緩く（弧状に）連結された形状であって、側面１２を形成する水平面１２２の軒先端から延在している。そのため、この軒樋１~は、下り傾斜状の軒先端が形成されることになり、カバー材２~を伝う雨水が裏面側へ廻り込み、更に建築物側（図では右方）へ伝おうとしても傾斜状面１４１にて確実に雨水を落下させてそれ以上の伝わりを防止できる。
【００４５】
このように施工される第２実施例の軒先構造も、軒樋１'の建築物側の側面１３を、建築物の躯体５Ａに固定した樋受け金具４に取り付け、軒先端に設けた係合部１４'を、建築物の外装下地５Ｂに固定したカバー材３'にて抱持状に（引っ張るように）保持している構造であって、軒樋１'の左右端を安定に保持できる。
【００４６】
しかも、この第２実施例でも、軒樋１'の係合部１４'が、支持材２'の軒先端（被係合部２４'）に係合され、更に前記カバー材３'の軒先端３２'と係合しているので、カバー材３'は軒樋１'ばかりでなく支持材２'をも引っ張るように保持するため、この支持材２'も外装下地５Ｂに固定したカバー材３'にて抱持状に（引っ張るように）保持され、支持強度は更に高くなる。また、軒樋１'と支持材２'との一体性が向上するので、カバー材３'を含めた三部材の一体性も向上する。
【００４７】
図５（ａ）に示す本発明の第３実施例の軒先構造は、カバー材３"と軒樋１"との連結態様は、前記第１実施例とは同様（接続部分に補助材を用いない）であり、支持材２”は、前記第２実施例と同様にカバー材３"裏面に当接する支持面部２５ａ，２５ｂを設けているが、この第３実施例では、軒先側と水上側との２箇所に設けて導水口３１１を除くほぼ全域に形成しているため、カバー材３"の変形を防いで、より安定に支持することができる。
なお、この第３実施例の支持材２"は、図５（ｂ）に示すように側面視が直角三角形状であって、軒先側の斜辺の上端から側方へフランジ状に延在する支持面部２５ａ、水上側の斜辺の上端から側方へフランジ状に延在する支持面部２５ｂとした。
【符号の説明】
【００４８】
１，１'，１"  軒樋
１１  底面
１２  （軒先側の）側面
１２１  傾斜面
１２２  水平面
１３  （構造物側の）側面
１４，１４'  係合部
２，２'，２"  支持材
２ｂ  ビス（固着具）
２１  横長面部
２２  縦面部（固定部）
２３，２３'  介在面部
２４，２４'  被係合部
２５，２５ａ，２５ｂ  支持面部
３，３'，３"  カバー材
３ｂ  ビス（固着具）
３１  化粧面
３２，３２'  軒先端
３３  上端部
４  樋受け金具
４２  下方取付部
４４  上方取付部
５Ａ  躯体（鼻隠し壁面）
５Ｂ  外装下地（断熱材及び軽量鋼材）
５Ｃ  木毛セメント板
５Ｄ  軒先唐草
６Ａ  横葺き外装材
６１  面板部
６２  軒側成形部
６３  棟側成形部
【図１】
2020084757.tif 000003
【図２】
2020084757.tif 000004
【図３】
2020084757.tif 000005
【図４】
2020084757.tif 000006
【図５】
2020084757.tif 000007